(57)【要約】【課題】  本発明の目的は、位牌の中に、分離した複数の独立したスペースを設け、遺骨や遺灰を一方の収納室に設け、他方の収納室には遺品を収納し、この遺品は所定期間経過したら強制的に目に触れることとなり、さらに亡きペットの生前の記憶を呼び起こすために常時、匂い・香りの出る機能を有する位牌を提供することにある。【解決手段】    先細の金属製柱状体の表面にペットの戒名を記載する欄を設け、該先細の金属製柱状体の一端部又は頭部を分離可能に螺合接続し、該金属製柱状体の本体を仕切り壁を介して上下又は左右に収納室を設け、前記先細の金属製柱状体の下部又は底部を台座に螺合接続し、上記下部又は一方の収納室に遺骨・灰を収納し、上部又は他方の収納室にペットの思い出の遺品を収納し、かつ前記頭部の先端面に細孔を設け、該頭部内に蓋を有する香料収納室を設けたことを特徴とするペット用位牌。【選択図】  図１
2005034549.tif 000002
【特許請求の範囲】
【請求項１】
先細の金属製柱状体の表面にペットの戒名を記載する欄を設け、該先細の金属製柱状体の一端部又は頭部を分離可能に螺合接続し、該金属製柱状体の本体を仕切り壁を介して上下又は左右に収納室を設け、前記先細の金属製柱状体の下部又は底部を台座に螺合接続し、上記下部又は一方の収納室に遺骨・灰を収納し、上部又は他方の収納室にペットの思い出の遺品を収納し、かつ前記頭部の先端面に細孔を設け、該頭部内に蓋を有する香料収納室を設けたことを特徴とするペット用位牌。  
【発明の詳細な説明】
【技術分野】
【０００１】
本発明はペット用の位牌、特に分骨や遺品を入れるスペースを分離した状態で収納し、匂い・香りを発することの出来るスペースを有するペット用の位牌に関する。
【背景技術】
【０００２】
近年、生活の余裕や様々な情報の増加からペットを飼育する人が増加しその種類も増加傾向にある。中には家族の一員として大事に飼育するケースも増加している。この様な場合、ペットが亡くなったときの供養も人間と同様に行いたいと希望する人が増えている。そこで最近はペット用の墓地、納骨堂、仏壇、位牌などが多く作られている。また、亡くなったのが人である場合、遺品は故人と供に火葬に付すか形見分けが行われるのが一般的である。また、遺骨や遺灰は骨壷に収納し、墓所や霊園のお墓や納骨堂に収納し、家には仏壇を設置し、戒名や法名、命日を記した位牌や写真を仏壇の前や中に設置、安置するのが一般的である。ペットが亡くなったときに人と同様に供養を行いたいと希望する人のために、ペットにおいても同様の供養がなされていた。
しかし、従来技術として、位牌、納骨箱、写真額等を一体化したものが提案されている（例えば特許文献１）。また、ペットの多くは人に比べ体が小さいため、位牌や遺品をコンパクトに一箇所に収めることが容易である。従って、位牌に空洞部を設け、そこにペットの遺骨や遺灰を収め、位牌にペットの写真やペットの写真をプリントした位牌も提案されている（例えば特許文献２）。また、故人の声や亡くなったペットの声を再生可能な位牌も提案されている（特許文献３）。
【０００３】
【特許文献１】特開平２００２−２１５２４６（発明の詳細な説明の欄、図１）
【特許文献２】特開平２００２−３０６３１８（発明の詳細な説明の欄、図１）
【特許文献２】特開平１１−２９０１９９（発明の詳細な説明の欄、図１）
【０００４】
しかしながら、遺骨や遺灰だけではなく、他の遺品も供に保管するためには、位牌とは別に置かなければならないのが現状である。また、遺品の他にも匂い・香りを室内に発散させ、ペット愛好者が亡きペットの生前の記憶を匂い・香りを介して呼び起こすものを保管できる位牌は存在しなかった
【発明の開示】
【発明が解決しようとする課題】
【０００５】
本発明は上記の点に鑑みてなされたもので、その目的とするところは、位牌の中に分離した複数の独立したスペースを設け、遺骨や遺灰を一方の収納室に設け、他方の収納室には遺品を収納し、この遺品は所定期間経過したら強制的に目に触れることとなり、さらに亡きペットの生前の記憶を呼び起こすために常時、匂い・香りの出る機能を有する位牌を提供することにある。
【課題を解決するための手段】
【０００６】
先細の金属製柱状体の表面にペットの戒名を記載する欄を設け、該先細の金属製柱状体の一端部又は頭部を分離可能に螺合接続し、該金属製柱状体の本体を仕切り壁を介して上下又は左右に収納室を設け、前記先細の金属製柱状体の下部又は底部を台座に螺合接続し、上記下部又は一方の収納室に遺骨・灰を収納し、上部又は他方の収納室にペットの思い出の遺品を収納し、かつ前記頭部の先端面に細孔を設け、該頭部内に蓋を有する香料収納室を設けたことを特徴とするペット用位牌である。
【発明の効果】
【０００７】
本発明の位牌は真鍮その他の金属材料鋼材で形成されており、重量感があり、位牌の上部は紡錘形状、底は台座となっているため、安定していて倒れることがなく、更に底部の台座、紡錘形状部である位牌の上部のキャップ状の頭部はスクリュー形式となっていて、位牌が倒れたりしても中身が飛び出したりすることはない。しかも遺骨や遺灰はめったに開閉しない下部側の収納室に収納し、遺品は上部の収納室に収納することにより、匂い・香りが薄められたり、弱くなったりした時に芳香剤の交換時に必ず、上部の収納室が開放される結果、随時、遺品を見て亡きペットを偲ぶことが可能である。また、紡錘形状部の内部は三つのスペースに分断されているため遺骨・遺灰とペットの毛等の遺品は分けて保管することができるので、遺骨が目に触れることがなく、遺品が目に触れるだけであるから精神的苦痛は比較的少ない。
また、紡錘形状部の最上部のキャップ状の頭部は内部がドーム状のスペースとなっており、さらにキャップ上部には小さな穴が空いており、この穴を通して匂い・香りが常時室内に発散し、匂い・香りをかぐことで亡きペットの思い出を偲ぶことができ、室内もさわやかな雰囲気を醸し出すことができる。
また該キャップ内のスペースにお香等を入れ、芳香スペースとして用いることも可能である。
また、紡錘形状であるため、表面にペットの名前、思い出の内容、コンクール、品評会等の賞歴、闘犬等であれば業績等の文字を刻印することも可能である。また、ペットの肖像などを表面にエッチングしたり、ペットの写真をプリントしたりすることも可能である。
【０００８】
また、上記紡錘形状部を支える台座の内部にスペースを設け、該スペースに蓋を設け、該収納スペースに遺品等を収納することも可能である。
【０００９】
また、本願位牌の別の形状として、上記紡錘形状部の外見とキャップ部、上記台座構造は上記実施例と同様であるが、紡錘形状部内部にスペースを一つ設け、異なる構造、容積のスペースを複数設け、最下部のスペースの底面積を最も小さい構造とし、上部になるにつれてスペース底面の円周が僅かずつ大きくなる構造とし、大きさの異なるそれぞれのスペースの間に蓋を設けた場合、それぞれのスペースに遺骨・遺灰と遺品等を分けて入れることが可能である。
【００１０】
また、本願位牌の別の形状として、収納室を上下で異なる構造、容積とする。下半分のスペースの底面積を若干小さい構造とし、上部のスペースの底面の円周を若干大きい構造とし、上部と下部の間に蓋を設ける。スペースの数は二つに限らず、二つ以上複数設けることも可能である。最下部のスペースの底面積を最小とし、上部に行くにつれてスペースの底面の円周が大きくなる構造とする。各スペースの間には蓋を設け、それぞれのスペースに遺骨、遺灰、遺品等を分けて入れることが可能である。
【００１１】
本願位牌の別の形状として、収納室を一つ設け、その収納室内に有底筒体を挿入し、その筒体の上部にフランジを有する別の底の浅い有底筒体を嵌合する構造としても良い。こうすることで下部円筒状部分と上部の容器に遺骨や遺灰、遺品などを分けて入れることが可能であり、上から被せた容器が下に落下したりすることも無く、上下に分けた遺品と遺骨が混ざることが無い。
【００１２】
また、本願位牌の別の形状として、上記紡錘形状部のキャップ状の頭部、上記紡錘形状部を支える台座は上記例と同様であるが、該キャップ状の頭部の螺合箇所以外に紡錘形状部の途中を水平方向に割った状態で螺合する構造に形成する。こうすることで、遺骨と遺灰、ペットの毛などの遺品を分けて入れることが可能なばかりではなく、位牌を持ち上げることなく、蓋を開けて遺品を見ることが可能となり、亡きペットを偲ぶことが出来る。
【００１３】
また、本願位牌の別の形状として、上記紡錘形状部のキャップ部、上記紡錘形状部を支える円筒状部は上記例と同様であるが、該キャップ部を外した状態で、該紡錘形状部の内部を空洞とし、中心に縦に仕切りを設け、二つのスペースに分割する。この場合、遺骨・遺灰とペットの毛・写真等の遺品を同時に見ることが出来、亡きペットを偲ぶことが可能である。また該キャップ部を外した状態で、該紡錘形状部の内部に複数の円筒状の穴を設けた場合、遺品を複数入れることが可能である。
【００１４】
また、本願位牌の別の形状として、上記紡錘形状部は横型形状としても良い。上記キャップ部は左右に設ける。紡錘形状部内部に空洞を設け、中心で分割される形状とする。それぞれのスペースは該キャップをスクリュー形式として開閉可能とする。該キャップ内底部には上記同様、スクリュー式の蓋を設け、匂い・香りのするものを入れるドーム状のスペースとすることも可能である。また上記同様、該キャップには、匂い・香りを発しつつ、匂い・香りの発生源が落ちない様、適度な大きさの穴を複数設けることも可能である。該キャップ部を二つ設けることで、匂い・香りのするものを二種類入れることが可能となる。例えば一方にペットの匂い・香りのする遺品、もう片方に御香を入れる、ということも可能である。また円筒状底部の表面には棒状の先端部が球状となっている突起部を設け、該円筒状底部から該突出部の中心にビスを通すために貫通する穴を設ける、該円筒状底部にビスの頭部が突出して該位牌を置く際に不安定になるのを防止するため、ビスの頭部より若干大きい溝を設ける構造をとり、該紡錘形状部中心には該棒状先端部の球状部に合致する半円状の溝を設け、その中心にビスを通すための穴を設け、ビスで直結する構造とすることで、紡錘形状部が横である、という不安定な構造であってもしっかりと支えることが可能である。
【００１５】
以上、本発明は、家族同様に暮らしてきたペットを人間と同じように供養を行いたいと考える人が増えている中、墓地や納骨堂は人を対象としたものでも土地不足等の事情で困難な問題を抱えており、ましてペットとなると、供養のサービスが行われているのが少ないのが現状である昨今、その現状に鑑み、以上の様な形状の位牌を用いることでお墓や納骨堂がなくても、ペットの遺骨や遺灰、遺品等を位牌に一箇所に収めることで、広いスペースを必要とせず、近年の住宅事情にも適ったものである。更にペットの遺品が入った位牌を常に手近に置いておくことが可能であり、家族同様に暮らしてきたペットを自分の手近なところで供養することが出来、ペットが亡くなってしまっても常に身近に感じ、思い出に浸ることが出来る。さらに、匂い・香りのする物を入れ、匂い・香りをかぐことの出来るスペースを設けたことで、ペットの思い出や面影をより強く感じることが可能である。
【発明を実施するための最良の形態】
【００１６】
以下、本発明の一実施例を図に基づいて説明する。図１は、本発明ペット用位牌の一実施例を示す正面図である。図２は、本発明ペット用位牌の一実施例を示す文字を付さない状態での正面図である。ただし、背面図は正面図と対称のため省略。図３は、本発明ペット用位牌の一実施例を示す右側面図である。ただし、左側面図は右側面図と対称のため省略。図４は、本発明ペット用位牌の一実施例を示す平面図である。図５は、本発明ペット用位牌の一実施例を示す底面図である。図６は、本発明ペット用位牌の一実施例を示す図４におけるＡ−Ａ線断面図である。図７は、本発明ペット用位牌の一実施例を示す図４におけるＡ−Ａ線断面図である。図８は、本発明ペット用位牌の他の実施例を示す図４におけるＡ−Ａ線断面図である。図９は本発明ペット用位牌の他の実施例を示す図４におけるＡ−Ａ線断面図である。図１０は本発明ペット用位牌の他の実施例を示す収納室に収納する容器を示す概略説明図である。図１１は、本発明ペット用位牌の他の実施例を示す図４におけるＡ−Ａ線断面図である。図１２は、本発明ペット用位牌の他の実施例を示す図４におけるＡ−Ａ線断面図である。図１３は、本発明ペット用位牌の他の実施例を示す図２におけるＢ−Ｂ線断面図である。図１４は、本発明ペット用位牌の他の実施例を示す図４におけるＡ−Ａ線断面図である。図１５は、本発明ペット用位牌の他の実施例を示す図２におけるＢ−Ｂ線断面図である。図１６は、本発明ペット用位牌の他の実施例を示す正面図である。図１７は、本発明ペット用位牌の他の実施例を示す図１６におけるＣ−Ｃ線断面図である。
【００１７】
位牌本体は真鍮その他金属材料で形成し、表面をパールメッキ等を施し、荘厳さの中にも明るく、落ち着きの有る色等でメッキをする。先細の金属製柱状体である位牌の上部１，３は紡錘形状とし、安定させる為、位牌の下部は螺合接続する二段の円柱状部２からなる台座とする。位牌の上部１，３は収納室１とキャップ状の頭部３に分ける。収納室１内部は１ａ、１ｂの二つの分離独立したスペースに壁を介して上下又は左右に分断する。キャップ状の頭部３には背後にスクリュー３ｂを備えた蓋３ｃを設け、中段のスペース１ａを開閉可能にする。キャップ状の頭部３にはスクリュー式の蓋３ｃが設けられ、匂い・香りのするものを入れるドーム状のスペース３ａを設ける。キャップ状の頭部３には、匂い・香りを発しつつ、匂い・香りの発生源が飛散しない様、適度な大きさの穴４を複数設ける。該底部の円筒状部にはスクリュー２ｅを付し、収納室１と着脱可能にし、下段のスペース１ｂを開閉可能にする。該円筒状部分２には空洞２ｃを設け、スクリュー形式の蓋２ｄで開閉できる形式にしても良い。
【００１８】
上記先細の金属製柱状体である位牌の上部１，３の収納室１の表面にはペットの名前、思い出の内容、コンクール、品評会等の賞歴、闘犬等であればその業績等の文字を刻印しても良い（図１）。また、ペットの肖像などを表面にエッチングもしくはペットの写真をプリントしても良い。
【００１９】
また、本願位牌の別の形状として、上記位牌の上部１，３の外見と上記収納室、上記キャップ状の頭部、上記台座の構造は上記実施例と同様であるが、該収納室内部にスペース１ｃを一つ設け、該スペースを上下で異なる構造、容積とする。下半分の該スペース１ｃ’の底面積を若干小さい構造とし、上部の該スペース１ｃ’’底面の円周を若干大きい構造とし、上部と下部の間に蓋１ｄを設ける。該スペースの数は二つに限らず、複数設けることも可能である。最下部の該スペースの底面積を最小とし、上部に行くにつれて該スペース底面の円周が大きくなる構造とする。各該スペースの間には該蓋を設ける。上記位牌の上部１，３を支える台座２は上記同様、蓋２ｄを設け、上記収納スペース２ｃを設けても良い。
【００２０】
本願位牌の別の形状として、上記先細の金属製柱状体である位牌の上部１，３である紡錘形状部の外見と上記収納室、上記キャップ状の頭部、上記台座２の構造は上記実施例と同様であるが、該収納室の内部には一つのスペース１ｃを設け、上部に浅く、該スペースより底面積の広いスペースを設ける。該円筒状のスペースには、円筒状で該円筒状スペースより円周、底面積は小さいが下部円筒状スペースより円周の広い淵を持ち、下部円筒状スペースより浅い容器５を挿入可能とし、該円筒状のスペース１ｃ上部に引っかかる構造とする。該スペースは該容器５を収納した際に該容器５が落ちず、更に該キャップ状の頭部の開閉の邪魔にならない様に設けられたものである。上記位牌の上部１，３を支える上記台座２は上記同様、上記蓋２ｄを設け、上記収納スペース２ｃを設けても良い。
【００２１】
また、本願位牌の別の形状として、上記位牌の上部１，３の外観、上記収納室、上記位牌の上部１，３を支える上記台座２は上記例と同様であるが、該収納室１の内部に二つのスペース１ａ，１ｂを設け、上部スペース１ａは該キャップ状の頭部のスクリュー３ｂにより開閉可能とし、下部スペース１ｂは紡錘形状部１，３の上半分を蓋とし、スクリュー１ｆで開閉可能とする。上記位牌の上部１，３を支える上記台座２は上記同様、上記蓋２ｄを設け、上記収納スペース２ｃを設けても良い。
【００２２】
また、本願位牌の別の形状として、上記位牌の上部１，３の外観、上記収納室を支える上記台座２は上記例と同様であるが、該収納室の内部を空洞とし、中心に縦に仕切り６を設け、二つのスペースに分割する。もしくは該収納室１の内部に複数の円筒状の穴７を設ける。上記紡錘形状部１，３を支える上記台座２は上記同様、上記蓋２ｄを設け、上記収納スペース２ｃを設けても良い。
【００２３】
また、本願位牌の別の形状として、上記位牌の上部１，３は横型形状としても良い。上記キャップ状頭部は左右に設ける。上記収納室１に空洞を設け、中心で１ａ，１ｂに分割される形状とする。それぞれのスペースは該キャップ３をスクリュー形式として開閉可能とする。該キャップ３内底部には上記同様、スクリュー式の蓋３ｃを設け、匂い・香りのするものを入れるドーム状のスペース３ａを設ける。また上記同様、該キャップ状の頭部には、匂い・香りを発しつつ、匂い・香りの発生源が飛散しない様、適度な大きさの穴４を複数設ける。該位牌の上部１，３は上記同様、上記台座２で支える構造とする。該台座２の表面には棒状で先端部が球状となっている突起部８を設け、該台座２から該突出部８の中心にビス９を通すために貫通する穴１０ａを設ける。該台座２は、ビスの頭部が突出して該位牌を置く際に不安定になるのを防止するため、ビスの頭部より若干大きい溝１１を設ける。該紡錘形状部１，３の中心部には該突出部８先端部の球状部に合致する半円状の溝１２を設け、その中心にビスを通すための穴１０ｂを設け、ビスで直結する構造とする。
【産業上の利用可能性】
【００２４】
機械加工分野において、切削加工等によって、作成し、メッキ処理をして市場に提供されるものである。
【図面の簡単な説明】
【００２５】
【図１】本発明ペット用位牌の一実施例を示す正面図である。
【図２】本発明ペット用位牌の一実施例を示す文字を付さない状態での正面図である。
【図３】本発明ペット用位牌の一実施例を示す右側面図である。
【図４】本発明ペット用位牌の一実施例を示す平面図である。
【図５】本発明ペット用位牌の一実施例を示す底面図である。
【図６】本発明ペット用位牌の一実施例を示す図４におけるＡ−Ａ線断面図である。
【図７】本発明ペット用位牌の一実施例を示す図４におけるＡ−Ａ線断面図である。
【図８】本発明ペット用位牌の他の実施例を示す図４におけるＡ−Ａ線断面図である。
【図９】本発明ペット用位牌の他の実施例を示す図４におけるＡ−Ａ線断面図である。
【図１０】本発明ペット用位牌の他の実施例を示す収納室に収納する容器を示す概略説明図である。
【図１１】本発明ペット用位牌の他の実施例を示す図４におけるＡ−Ａ線断面図である。
【図１２】本発明ペット用位牌の他の実施例を示す図４におけるＡ−Ａ線断面図である。
【図１３】本発明ペット用位牌の他の実施例を示す図２におけるＢ−Ｂ線断面図である。
【図１４】本発明ペット用位牌の他の実施例を示す図４におけるＡ−Ａ線断面図である。
【図１５】本発明ペット用位牌の他の実施例を示す図２におけるＢ−Ｂ線断面図である。
【図１６】本発明ペット用位牌の他の実施例を示す正面図である。
【図１７】本発明ペット用位牌の他の実施例を示す図１６におけるＣ−Ｃ線断面図である。
【符号の説明】
【００２６】
１  収納室
１ａ  収納室上部スペース
１ｂ  収納室下部スペース
１ｃ   収納室内部スペース（小）
１ｃ’   収納室内部スペース（中）
１ｃ’’   収納室内部スペース（大）
１ｄ  蓋
２  台座
２ａ  台座内収納スペース
２ｂ  台座内収納スペースの蓋
２ｃ  台座上段スクリュー部
３  キャップ
３ａ  キャップ内部スペース
３ｂ  キャップスクリュー部
３ｃ  キャップ内部スペースの蓋
４  穴
５  収納室に収納する容器
６  仕切り
７  円筒状の穴
８  台座上の突起部
９  ビス
１０ａ  紡錘形状部中心部のビス用の穴
１０ｂ  台座中心部と台座上の突起部中心のビス用の穴
１１  台座中心部の円筒状の溝
１２  紡錘形状部中心部の半球状の溝
【図１】
2005034549.tif 000003
【図２】
2005034549.tif 000004
【図３】
2005034549.tif 000005
【図４】
2005034549.tif 000006
【図５】
2005034549.tif 000007
【図６】
2005034549.tif 000008
【図７】
2005034549.tif 000009
【図８】
2005034549.tif 000010
【図９】
2005034549.tif 000011
【図１０】
2005034549.tif 000012
【図１１】
2005034549.tif 000013
【図１２】
2005034549.tif 000014
【図１３】
2005034549.tif 000015
【図１４】
2005034549.tif 000016
【図１５】
2005034549.tif 000017
【図１６】
2005034549.tif 000018
【図１７】
2005034549.tif 000019